(57)【特許請求の範囲】
【請求項１】
ポリ袋（６）を平らに置き、ポリ袋（６）の口に携帯用犬の糞取り具（１）を先端から挿入しポリ袋（６）の表面の口を張るように挟み、ポリ袋（６）を装着するためのクリップ（２、３）と、ポリ袋底部分（９）を上側から手前に折り返しポリ袋底部分（９）を押さえ、糞受け面（１０）として成すための押え金具（４、５）を具備して成ることを特徴とする携帯用犬の糞取り具。
【請求項２】
携帯用犬の糞取り具（１）は、金属製又は合成樹脂製から成り、棒状のもので円形又は半円形に形成し、取っ手を付けて成ることを特徴とする請求項１記載の携帯用犬の糞取り具。
【請求項３】
携帯用犬の糞取り具（１）の先端からポリ袋（６）の口に挿入し、ポリ袋（６）の表面の口を張るように、クリップ（２、３）で挟みポリ袋装着手順Ａ（７）とし、ポリ袋底部分（９）を上側から手前に折り返し、ポリ袋底部分（９）を押え金具（４、５）で押さえポリ袋装着手順Ｂ（８）となり、糞受け面（１０）として成ることを特徴とする請求項１又は２記載の携帯用犬の糞取り具。
【発明の詳細な説明】
【０００１】
本発明は、犬の散歩中における犬の糞を後始末をする。携帯用犬の糞取り具に関するものである。
【０００２】
【従来の技術】
従来の携帯用犬の糞取り具においては、犬が糞をした後で始末をする取り具として、糞を挟み取りしポリ袋に入れて持ち帰る挟み取り具と、糞の上にチリ紙等を掛けてパクッと掴み取りをしてそのまま持ち帰り後でポリ袋等に入れて始末をする掴み取り具等の携帯用犬の糞取り具が市販されている。
【０００３】
又一方では、犬が糞をする前に受ける受け取り具として、受け皿を取り付けたステッキ型の携帯用の犬の便器も提案されている。
【０００４】
【発明が解決しようとする課題】
従来の犬が糞をした後で始末をする携帯用の犬の糞取り具にあっては、取る場所が平地で固形糞であることが望ましいが、実際面において、普通の散歩道又は散歩場所は草むらがあったり、地面が凸凹の所が多く、このような所での犬の糞の後始末は従来の取り具では取り難く奇麗に取れないという問題点がある。
【０００５】
又、犬が糞をする前に受けて、受け取るステッキ型の携帯用の便器においては、犬が糞をする時は腰を下げてするので尻と地面の間が狭いことと、特に前述のような平地以外の場所では便器を受け難いという問題点がある。
【０００６】
そして犬の糞の硬軟の状態はよく変わるものであり、軟弱な糞の時はたとえ平地でも従来の取り具では始末し難いという問題点がある。
【０００７】
従来のこの種の糞取り具においては、何れも取り具そのものが糞で汚れるという問題点がある。
【０００８】
本発明は、上記問題点に鑑み、犬の糞の後始末が場所を問わず、糞の硬軟の状態を問わず、又取り具を糞で汚すことなく早く綺麗に簡単に後始末ができる携帯用犬の糞取り具を得ることを目的としている。
【０００９】
上記目的を達成するために、本発明の携帯用犬の糞取り具においては、該取り具の左右にクリップと押え金具を具備し、着脱自在のポリ袋を装着するようにしたものである。なお、該クリップにおいては、手で掴まないと挟んでいるポリ袋が外れないクリップを、又、該押え金具においては、糞受け面で糞を受け糞取り具を持ち上げ上下に２、３回振ることによって、押さえているポリ袋の底部分が押え金具から外れることができる押え金具である。
【００１０】
携帯用犬の糞取り具は金属製又は合成樹脂製から成り棒状のもので円形又は半円形に形成し取っ手を付けたものであり該取り具を薄くしたことである。
【００１１】
尻と地面の間に挿入し易い携帯用犬の糞取り具としては出来る限り薄いことが好ましく可能ではあるが、受け取る場所が傾斜等で糞が転げ出るのを防ぐためには該取り具を形成している棒状のものは人差し指大位のものが好ましい。
【００１２】
ポリ袋を平らに置き、ポリ袋の口に携帯用犬の糞取り具を先端から挿入し、ポリ袋の表面の口を張るようにクリップで挟み、ポリ袋底部分を上側から手前に折り返し、ポリ袋底部分を押え金具で押さえることによって、糞受け面として成るものである。
【００１４】
発明の実施の形態を実施例にもとづき図面を参照して説明する。
図１、２は、本発明の実施の形態に係る携帯用犬の糞取り具１、並びに、ポリ袋装着手順Ａ７、及び、ポリ袋装着手順Ｂ８を示す平面図である。
【００１５】
図１、２に示される実施例では、携帯用犬の糞取り具１は、金属製又は合成樹脂製から成り、棒状のもので円形又は半円形に形成し取っ手を付けている。
【００１６】
図１に示される実施例では、携帯用犬の糞取り具１に、ポリ袋６を装着するポリ袋装着手順Ａ７である。ポリ袋６を平らに置きポリ袋６の口に該取り具１を先端から挿入し、ポリ袋６の表面の口を張るように、図１で示されるように、左右のクリップ２、３で挟みポリ袋装着手順Ａ７とする。なお、該クリップ２、３においては、手で掴まないと挟んでいるポリ袋６が外れないものである。又、該クリップ２、３を具備することによって、ポリ袋６の着脱を簡単にすることができる。
【００１７】
図２に示される実施例では、図１のポリ袋底部分９を、図２に示されるように、上側から手前に折り返しポリ袋底部分９の左右を、図２に示されるように、左右の押え金具４、５で押さえポリ袋装着手順Ｂ８となり、糞受け面１０とする。なお、押え金具４、５においては、糞受け面１０で糞を受け携帯用犬の糞取り具１を持ち上げ上下に２、３回振ることによって、押さえているポリ袋底部分９が押え金具４、５から外れることができる押え金具を具備している。
【００２０】
【発明の効果】
本発明は、以上説明したように携帯用犬の糞取り具に着脱自在のポリ袋を装着するものであるが、以下に記載されるような効果を奏する。
【００２１】
携帯用犬の糞取り具は金属製又は合成樹脂製から成り人差し指大の棒状のもので円形又は半円形に形成し取っ手を付けたものであり、薄く小型にすることが出来る。
【００２２】
上記のように携帯用犬の糞取り具を薄くすることにより、尻と地面の狭い間でも挿入がし易くなり、糞を受けて取ることが容易に出来る。
【００２３】
又、糞を受けて取ることにより、軟弱な糞でも、又は草むら、凸凹な地面、傾斜な地面等でも早く奇麗に簡単に取ることができる。
【００２４】
一つの問題点として考えられることは、犬が糞をする前に受けて受け取ることであるが、犬が糞をする前には前兆が見られるので気を付けていれば問題はなく、受けて取ることが最も簡単に奇麗に犬の糞を後始末することが出来る。
【００２５】
装着するポリ袋は、市販のもの、例えば、中犬用の携帯用の犬の糞取り具であれば１２号を、大犬用の携帯用犬の糞取り具であれば１３号のものを使用することが出来る。又、該取り具を棒状のもので円形又は半円形に形成したこと、及び、該取り具の左右にクリップと押え金具を具備することによって、ポリ袋の着脱を簡単にすることが出来る。
【００２６】
携帯用犬の糞取り具にクリップと押え金具を具備したことによって、糞受け面で受け取った糞は、該取り具を持ち上げ上下に２、３回振ることにより、押さえているポリ袋の底部分が押え金具から外れることができ又ポリ袋の底部分が押え金具から外れることによって糞が糞受け面と共にポリ袋に入り込み、ポリ袋に入った状態になり該取り具から垂れ下がり、該取り具を糞で汚すことなく、又、ポリ袋の口付近も汚すことなく簡単に始末ができる。又、ポリ袋を該取り具から外す時は、該取り具の左右のクリップを両手で掴み持ち上げると簡単に外し落とすことが出来る。
【図面の簡単な説明】
【図１】携帯用犬の糞取り具とポリ袋の装着の実施例を示す平面図である。
【図２】携帯用犬の糞取り具とポリ袋の装着の実施例を示す平面図である。
【符号の説明】
１      携帯用犬の糞取り具、
２      クリップ
３      クリップ
４      押え金具
５      押え金具
６      ポリ袋
７      ポリ袋装着手順Ａ
８      ポリ袋装着手順Ｂ
９      ポリ袋底部分
１０      糞受け面
【図１】
0004019359.tif 000002
【図２】
0004019359.tif 000003